(57)【要約】【課題】強度に優れ、且つ横方向補強バーにより座面クッションに「線結合」の強度を提供することができる、レジャー用椅子のフレーム構造の提供。【解決手段】本考案のレジャー用椅子のフレーム構造は、左右の２つの対応する側の各側が、フロントバーとリアバーを含み、フロントバーとリアバーの間に交差フレームが設けられ、前記交差フレームの上方に手すりが設置され、手すりが第一折り曲げ関節で組み立て接続されて成り、そのうち前記交差フレームと前記手すりの間に横方向補強バーがそれぞれ設けられ、且つ前記横方向補強バーが第二折り曲げ関節で組み立て接続されて成り、且つ、手すり下縁に第二折り曲げ関節及び前記交差フレームが設置され、縦方向サポートバーが設置され、これにより強度に優れ、且つ横方向補強バーにより座面クッションに「線結合」の強度を提供することができる。【選択図】  図２
0003141752.tif 000002
【実用新案登録請求の範囲】
【請求項１】
レジャー用椅子のフレーム構造であって、左右２つの対応する側の各側が、フロントバーとリアバーを含み、前記フロントバーと前記リアバーの間に交差フレームが設けられ、前記交差フレームの上方に手すりが設置され、前記手すりが第一折り曲げ関節で組み立て接続されて成り、そのうち、前記交差フレームと前記手すりの間に横方向補強バーがそれぞれ設けられ、且つ前記横方向補強バーが第二折り曲げ関節で組み立て接続されて成り、且つ、手すり下縁に第二折り曲げ関節及び前記交差フレームが設置され、縦方向サポートバーが設置されたことを特徴とする、レジャー用椅子のフレーム構造。       
【請求項２】
各側の前記フロントバー、前記リアバーと前記縦方向サポートバーがそれぞれ一組の伸縮パイプから成ることを特徴とする、請求項１に記載のレジャー用椅子のフレーム構造。
【考案の詳細な説明】
【技術分野】
【０００１】
本考案はレジャー用椅子のフレーム構造に関し、特に、手すりの強度を強化し、簡易に折り畳むことができる、レジャー用椅子のフレーム構造に関する。
【背景技術】
【０００２】
椅子は生活に欠かせない用具であり、レジャー用椅子は現代人の生活に対応し、体をリラックスさせるために用いられる。しかしながら、レジャー用椅子は常態的に生活で隨時必要であるわけではないため、現代の都市の限られた空間では、レジャー用椅子を使用しないとき、折り畳んでその体積を小さくし、生活空間を節約する必要がある。
【０００３】
一般に、レジャー用椅子の折り畳みは、その主要な問題が手すり部分にあり、２つの手すり部分がそれぞれ左右のフレームの前脚バーに接続され、レジャー用椅子の前後左右フレームの構造による連結性と連動性が低いため、レジャー用椅子を折り畳むとき、先行技術では主に手すりの前脚バーに接続された一端部分を外して引き起こし、手すりが前後方向の折り畳みの邪魔をしないようにする。しかしながら、手すりを外すのは煩わしい動作であり、且つ、後日レジャー用椅子を使用したいとき、また手すりを取り付けなければならず、再度煩わしい手間となる。このため、手すりの取り外しをいかに省くかが、レジャー用椅子の構造上改善が必要な点である。
【０００４】
これに鑑みて、台湾特許公告番号第５３８７２８号において、折り畳み式レジャー用椅子の手すり構造が開示されており、前記レジャー用椅子５は主に各手すり５１上に一箇所または一箇所以上中断部を設け、関節構造５２で接続し、これにより二節または二節以上の手すり５１Ａ、５１Ｂを構成し、まっすぐに伸ばしたり、折り畳んだりして前記レジャー用椅子の展開または収納を行うことができることを特徴としている。
【０００５】
しかしながら、前案の手すり５１は、図から分かるように、手すり５１は両端が固定されているだけで基本的に底部が宙に浮いた状態となるため、人体の重さを受けるための強度が不足しがちであり、且つ、一般にこの類のレジャー用椅子は、座面クッション５３が四つの角部と四つの角棒を結合させて設置されるため、「点結合」の状態となり、うっかり施力すると断裂が発生しやすい。
【考案の開示】
【考案が解決しようとする課題】
【０００６】
本考案の主な目的は、強度に優れ、且つ横方向補強バーにより座面クッションに「線結合」の強度を提供することができる、レジャー用椅子のフレーム構造を提供することにある。
【課題を解決するための手段】
【０００７】
本考案のレジャー用椅子のフレーム構造は、左右の２つの対応する側の各側が、フロントバーとリアバーを含み、フロントバーとリアバーの間に交差フレームが設けられ、前記交差フレームの上方に手すりが設置され、手すりが第一折り曲げ関節で組み立て接続されて成り、本考案は特に前記交差フレームと前記手すりの間に横方向補強バーがそれぞれ設けられ、且つ前記横方向補強バーが第二折り曲げ関節で組み立て接続されて成り、且つ、手すり下縁に第二折り曲げ関節及び前記交差フレームが設置され、縦方向サポートバーが設置される。
【０００８】
本考案はさらに、折り畳むときに手すりの第一折り曲げ関節に対応して横方向補強バーが折り曲げられるように、左第二折り曲げ関節を設ける。
【０００９】
本考案はさらに、レジャー用椅子のフレームを前後方向に折り畳んだ後、フロントバーとリアバーが縦方向サポートバーと地面に揃い、レジャー用椅子のフレームを便利に立てることができるようにするため、フロントバーとリアバーを伸縮パイプの形態に設計し、フロントバーと左リアバーを内側に向かって押すとき、左縦方向サポートバーが伸縮パイプの形態によりフロントバーおよびリアバーと長さが合うよう構成する。
【考案を実施するための最良の形態】
【００１０】
以下、図面に基づき本考案の内容、特徴及び実施例について説明する。
【００１１】
図２から図３に示すように、本考案のレジャー用椅子のフレーム構造は、主に左フロントバー１１と左リアバー１２を含み、左フロントバー１１と左リアバー１２の間に左交差フレーム１３が設けられ、前記左交差フレーム１３の上方に左手すり１４が設置され、左手すり１４は第一折り曲げ関節１５で組み立て接続されて成ると共に、前記左交差フレーム１３と前記左手すり１４の間にそれぞれ左横方向補強バー１６が設置され、且つ、前記左横方向補強バー１６は左第二折り曲げ関節１７で組み立て接続されて成り、且つ左手すり１４下縁に左第二折り曲げ関節１７が設置され、且つ前記左交差フレーム１３が交わる中空の移動部材１８５が設置され、さらに左縦方向サポートバー１８が設置される。
【００１２】
図４に示すように、そのうち前記左フロントバー１１は一組の伸縮パイプから成り、前記伸縮パイプは主に外管１１１及び内管１１２を含み、内管１１２の外径は外管１１１の内径より小さいものとする。但し、内管１１２の末端部に外径が外管１１１の内径に相当する凸縁部１１３が設けられ、且つ外管１１１の上部にストッパ１１４が設置され、凸縁部１１３と外管１１１の径が同じであり、且つ材質の緊迫性を組み合わせて内管１１２を引き伸ばすときの制限を形成し、且つストッパ１１４の阻害により内管１１２が抜け出ないよう規制される。
【００１３】
図４に示すように、前記左リアバー１２は一組の伸縮パイプから成り、前記伸縮パイプは主に外管１２１及び内管１２２を含み、内管１２２の外径は外管１２１の内径より小さいものとする。但し、内管１２２の末端部に外径が外管１２１の内径に相当する凸縁部１２３が設けられ、且つ外管１２１の上部にストッパ１２４が設置され、凸縁部１２３と外管１２１の径が同じであり、且つ材質の緊迫性を組み合わせて内管１２２を引き伸ばすときの制限を形成し、且つストッパ１２４の阻害により内管１２２が抜け出ないよう規制される。
【００１４】
図４に示すように、前記左縦方向サポートバー１８は一組の伸縮パイプから成り、前記伸縮パイプは主に外管１８１及び内管１８２を含み、内管１８２の外径は外管１８１の内径より小さいものとする。但し、内管１８２の末端部に外径が外管１８１の内径に相当する凸縁部１８３が設けられ、且つ外管１８１の上部にストッパ１８４が設置され、凸縁部１８３と外管１８１の径が同じであり、且つ材質の緊迫性を組み合わせて内管１８２を引き伸ばすときの制限を形成し、且つストッパ１８４の阻害により内管１８２が抜け出ないよう規制される。  
【００１５】
本考案のレジャー用椅子のフレーム構造は、さらに右フロントバー２１と右リアバー２２を含み、右フロントバー２１と右リアバー２２の間に右交差フレーム２３が設けられ、前記右交差フレーム２３の上方に右手すり２４が設置され、右手すり２４は第一折り曲げ関節２５で組み立て接続されて成ると共に、前記右交差フレーム２３と前記右手すり２４の間にそれぞれ右横方向補強バー２６が設置され、且つ、前記右横方向補強バー２６は右第二折り曲げ関節２７で組み立て接続されて成り、且つ、右手すり２４下縁に右第二折り曲げ関節２７及び前記右交差フレーム２３が設置され、さらにより高い強度を提供するため右縦方向サポートバー２８が設置される。
【００１６】
そのうち、前記右フロントバー２１、右リアバー２２及び右横方向補強バー２６はすべて一組の伸縮パイプから成り、左フロントバー１１、左リアバー１２及び左縦方向サポートバー１８の伸縮パイプの形態と対称であるため、細部構造についての説明を省略する。
【００１７】
このほか、左フロントバー１１と右フロントバー２１の間に前部交差フレーム３１が設置され、左リアバー１２と右リアバー２２の間に後部交差フレーム３２が設置され、且つ、各前部交差フレーム３１、後部交差フレーム３２が左フロントバー１１、右フロントバー２１、左リアバー１２と右リアバー２２の伸縮を受け、相対して狭まったり広くなったり連動される。
【００１８】
本考案は構造をより強固にするため、前部交差フレーム３１、後部交差フレーム３２の間、及び左縦方向サポートバー１８、右縦方向サポートバー２８の間に中間交差フレーム３３を設置し、且つ前記中間交差フレーム３３のうち１本の棒体の中段部を補強片３３１で被覆し、圧着に抵抗する強度を増加してもよい。
【００１９】
本考案の左右各側について、以下では左側を例とし、両側が対称であるものとして説明する。左交差フレーム１３と前記左手すり１４の間にそれぞれ左横方向補強バー１６が設置され、且つ、前記左横方向補強バー１６は左第二折り曲げ関節１７により組み立て接続されて成り、且つ、左手すり１４下縁に左第二折り曲げ関節１７及び前記左交差フレーム１３が設置され、さらに左縦方向サポートバー１８が設けられる。これにより、高い強度を提供することができ、且つ左横方向補強バー１６が座面クッション４に図５に示すような「線結合」の強度を付与する。
【００２０】
左横方向補強バー１６は折り畳むとき左手すり１４の左第一折り曲げ関節１５に対応して折り畳まれるようにするため、左第二折り曲げ関節１７で組み立て接続される。同時に、レジャー用椅子のフレームを前後方向に折り畳んだ後、左フロントバー１１と左リアバー１２が左縦方向サポートバー１８と地面に揃い、レジャー用椅子のフレームを立てるのに便利である。このため、左フロントバー１１と左リアバー１２は伸縮パイプの形態とする必要があり、左フロントバー１１と左リアバー１２が内側に向かって押されると、左交差フレーム１３が閉じて１本の直線が徐々に形成され、三角形の二辺の左交差フレームの右上バーＡ１と右下バーＡ２が、左フロントバー１１と左リアバー１２の長さより大きくなる。対応させようとすると、左フロントバー１１と左リアバー１２の長さが足りず、左交差フレームの右上バーＡ１と右下バーＡ２の合計長さに合わないため、伸縮パイプを延長させる必要がある。左フロントバー１１と左リアバー１２が左縦方向サポートバー１８と地面に揃うようにしなければならないため、左フロントバー１１と左リアバー１２の長さに合わせることができるよう左縦方向サポートバー１８も伸縮パイプの形態とする必要がある。
【００２１】
上述をまとめると、本考案は物品の実用的機能を得ることができ、且つその出願以前に刊行物に掲載されたり、公開使用されたりしたことがなく、特許の要件を満たしているため、法に基づきここに実用新案を提出するものである。
【００２２】
上述の説明は本考案の産業上の最良の実施例に基づくものであり、本考案の実用新案登録請求の範囲における同等効果を得るためのあらゆる変化はすべて本考案の範囲内に含まれるものとする。
【図面の簡単な説明】
【００２３】
【図１】先行技術の作動を示す側面図である。
【図２】本考案の立体分解図である。
【図３】本考案の折り畳み動作を示す立体図である。
【図４】本考案の折り畳み後の状態を示す立体図である。
【図５】本考案に座面クッションを設置した状態の立体図である。
【符号の説明】
【００２４】
１１      左フロントバー
１１１    外管
１１２    内管
１１３    凸縁部
１１４    ストッパ
１２      左リアバー
１２１    外管
１２２    内管
１２３    凸縁部
１２４    ストッパ
１３      左交差フレーム
１４      左手すり
１５      左第一折り曲げ関節
１６      左横方向補強バー
１７      左第二折り曲げ関節
１８      左縦方向サポートバー
１８１    外管
１８２    内管
１８３    凸縁部
１８４    ストッパ
１８５    移動部材
２１      右フロントバー
２２      右リアバー
２３      右交差フレーム
２４      右手すり
２５      右第一折り曲げ関節
２６      右横方向補強バー
２７      右第二折り曲げ関節
２８      右縦方向サポートバー
Ａ１      左交差フレームの右上バー
Ａ２      左交差フレームの右下バー
３１      前部交差フレーム
３２      後部交差フレーム
３３      中間交差フレーム
３３１    補強片
４        座面クッション
５        レジャー用椅子
５１      手すり
５１Ａ    手すり
５１Ｂ    手すり
５２      関節構造
５３      座面クッション
【図１】
0003141752.tif 000003
【図２】
0003141752.tif 000004
【図３】
0003141752.tif 000005
【図４】
0003141752.tif 000006
【図５】
0003141752.tif 000007